(57)【要約】  ＯＬＴ１は、各ＯＮＵ２の登録状態を監視するＯＮＵリンク状態監視部１３と、ＯＮＵリンク状態監視部１３による監視結果に基づいて、常時発光状態を検出し、常時発光しているＯＮＵ２を特定し、当該ＯＮＵ２に対して、光シャットダウンを指示する常時発光監視制御部１４とを備え、ＯＮＵ２は、ＯＬＴ１との間で光信号の送受信を行う光送受信器２１と、常時発光監視制御部１４からの指示に応じ、光送受信器２１の光シャットダウンを行う光出力制御部２３とを備えた。
2013140454.tif 000002
【特許請求の範囲】
【請求項１】
ＯＬＴと、前記ＯＬＴに接続された複数のＯＮＵとを備えたＰＯＮシステムにおいて、
前記ＯＬＴは、
前記各ＯＮＵの登録状態を監視するＯＮＵリンク状態監視部と、
前記ＯＮＵリンク状態監視部による監視結果に基づいて、常時発光状態を検出し、常時発光しているＯＮＵを特定する常時発光監視部と、
前記常時発光監視部により特定されたＯＮＵに対して、光シャットダウンを指示する光シャットダウン指示部とを備え、
前記ＯＮＵは、
前記ＯＬＴとの間で光信号の送受信を行う光送受信器と、
前記光シャットダウン指示部からの指示に応じ、前記光送受信器の光シャットダウンを行う光出力制御部とを備えた
ことを特徴とするＰＯＮシステム。
【請求項２】
前記常時発光監視部は、所定時間内に１台のＯＮＵ以外の全てのＯＮＵが未登録状態となった場合に、常時発光状態を検出し、当該１台のＯＮＵを常時発光しているＯＮＵであると特定する
ことを特徴とする請求項１記載のＰＯＮシステム。
【請求項３】
前記ＯＮＵリンク状態監視部は、前記各ＯＮＵの伝送品質状態も監視する
ことを特徴とする請求項１記載のＰＯＮシステム。
【請求項４】
前記常時発光監視部は、所定時間内に１台のＯＮＵ以外の全てのＯＮＵが未登録状態または信号劣化状態となった場合に、常時発光状態を検出し、当該１台のＯＮＵを常時発光しているＯＮＵであると特定する
ことを特徴とする請求項３記載のＰＯＮシステム。
【請求項５】
前記ＯＬＴは、
前記ＯＮＵからの受信光の検出状態に基づいて光バースト状態を監視する光バースト監視部を備え、
前記常時発光監視部は、前記光バースト監視部による監視結果および前記ＯＮＵリンク状態監視部による監視結果に基づいて、常時発光状態を検出し、常時発光しているＯＮＵを特定する
ことを特徴とする請求項１記載のＰＯＮシステム。
【請求項６】
前記常時発光監視部は、所定時間以上光バースト状態が継続した場合に、常時発光状態を検出する
ことを特徴とする請求項５記載のＰＯＮシステム。
【請求項７】
複数のＯＮＵが接続されたＯＬＴにおいて、
前記各ＯＮＵの登録状態を監視するＯＮＵリンク状態監視部と、
前記ＯＮＵリンク状態監視部による監視結果に基づいて、常時発光状態を検出し、常時発光しているＯＮＵを特定する常時発光監視部と、
前記常時発光監視部により特定された常時発光のＯＮＵに対して、光シャットダウンを指示する光シャットダウン指示部と
を備えたことを特徴とするＯＬＴ。
【請求項８】
ＯＬＴに接続されたＯＮＵにおいて、
前記ＯＬＴとの間で光信号の送受信を行う光送受信器と、
前記ＯＬＴからの自機の登録状態に基づく常時発光の検出・特定による指示に応じ、前記光送受信器の光シャットダウンを行う光出力制御部と
を備えたことを特徴とするＯＮＵ。
【発明の詳細な説明】
【技術分野】
【０００１】
この発明は、複数の加入者装置（ＯＮＵ：Ｏｐｔｉｃａｌ  Ｎｅｔｗｏｒｋ  Ｕｎｉｔ）が光ファイバを共有して局装置（ＯＬＴ：Ｏｐｔｉｃａｌ  Ｌｉｎｅ  Ｔｅｒｍｉｎａｌ）に対してデータの伝送を行う多分岐通信システム（ＰＯＮシステム：Ｐａｓｓｉｖｅ  Ｏｐｔｉｃａｌ  Ｎｅｔｗｏｒｋシステム）に関するものであり、特にＯＬＴにてＯＮＵの異常を検出するＰＯＮシステム、ＯＬＴおよびＯＮＵに関するものである。
【背景技術】
【０００２】
ＰＯＮシステムは、１本の光ファイバ回線を複数の加入者（ユーザ）で共有する加入者系アクセスシステムであり、特に通信事業者と複数ユーザとの間でギガビットの通信速度を有するＧＥ−ＰＯＮシステムの普及が進んでいる。ＧＥ−ＰＯＮシステムは、ＯＬＴに実装されたインタフェース盤に接続される光伝送路（光ファイバ）を光分岐器（スターカプラ）によって複数に分岐し、各分岐光ファイバにＯＮＵを接続した構成である。これにより、ＯＬＴと複数のＯＮＵとが光分岐器を介して１本の光ファイバで双方向通信が可能である。ＯＮＵからＯＬＴへのアクセスは、各ＯＮＵが１本の光ファイバ回線のタイムスロットをシェアするバースト送受信を行う方法が採用される。この方法によって、例えば、１台のＯＬＴと３２台のＯＮＵと間のポイント・ツー・マルチポイント接続を可能としている。【０００３】
このＰＯＮシステムにおいて、ＯＮＵが故障し、上りフレームのバースト送信が制御不能となり常時発光になった場合、他ＯＮＵからの上りフレームと干渉し、他ＯＮＵが通信不能となる。そこで、このような場合に、故障したＯＮＵを判別し、常時発光を解消して、システム動作を安定させる技術が知られている（例えば特許文献１，２参照）。【０００４】
特許文献１では、ＯＬＴにて、常時発光の受光電力として、全てのＯＮＵの帯域割り当てをなくしたときの受光電力を測定し、この受光電力とＯＮＵ毎の受光電力測定結果とを順次比較することによって、障害が発生している子局を特定している。【０００５】
また、特許文献２では、各ＯＮＵ自体が、ＯＬＴからの光信号を検出し、かつＯＬＴとのリンク状態が切断されている状態で自己の光信号出力を遮断する機構を備えている。そして、ＯＬＴでは、常時発光の子局が光出力遮断状態の際に他のＯＮＵのリンク状態が回復することを検出することで障害が発生している子局を特定している。
【先行技術文献】
【特許文献】
【０００６】
【特許文献１】特開２００２−３５９５９６号公報
【特許文献２】特開２０１１−５５２６４号公報
【発明の概要】
【発明が解決しようとする課題】
【０００７】
しかしながら、特許文献１は、主に障害が発生したＯＮＵの特定を主眼とした発明である。そして、障害箇所（常時発光しているＯＮＵ）を特定するためにＯＬＴがＯＮＵ１台ずつからの光受信電力を測定する必要があり、接続台数が多い場合に特定までに時間がかかってしまうという課題があった。また、常時発光の光受信電力と各ＯＮＵからの光受信電力を比較するため、ＯＮＵからの光受信電力測定結果に差違がない場合は、障害箇所を特定できないという課題があった。【０００８】
また、特許文献２では、ＯＮＵ側に常時発光状態を検出する機能を付加しているため、コストアップしてしまうという課題があった。また、ＯＬＴが異なる製造メーカのＯＮＵを収容するシステムでは、接続される全てのＯＮＵで検出機能をサポートする必要があるという課題があった。【０００９】
この発明は、上記のような課題を解決するためになされたもので、ＯＬＴおよびＯＮＵに特別な検出回路（機能）を設けることなく、常時発光しているＯＮＵを特定可能なＰＯＮシステム、ＯＬＴおよびＯＮＵを提供することを目的としている。
【課題を解決するための手段】
【００１０】
この発明に係るＰＯＮシステムは、ＯＬＴと、ＯＬＴに接続された複数のＯＮＵとを備え、ＯＬＴは、各ＯＮＵの登録状態を監視するＯＮＵリンク状態監視部と、ＯＮＵリンク状態監視部による監視結果に基づいて、常時発光状態を検出し、常時発光しているＯＮＵを特定する常時発光監視部と、常時発光監視部により特定されたＯＮＵに対して、光シャットダウンを指示する光シャットダウン指示部とを備え、ＯＮＵは、ＯＬＴとの間で光信号の送受信を行う光送受信器と、光シャットダウン指示部からの指示に応じ、光送受信器の光シャットダウンを行う光出力制御部とを備えたものである。
【発明の効果】
【００１１】
この発明によれば、上記のように構成したので、ＯＬＴおよびＯＮＵに特別な検出回路（機能）を用いず、常時発光しているＯＮＵを特定する方式としたので、コストアップせず廉価な構成にすることができるという効果がある。
【図面の簡単な説明】
【００１２】
【図１】この発明の実施の形態１に係るＰＯＮシステムの構成を示す図である。
【図２】この発明の実施の形態１に係るＰＯＮシステムの上り信号正常時での動作を示す概要図である。
【図３】この発明の実施の形態１に係るＰＯＮシステムの上り信号異常時での動作を示す概要図である。
【図４】この発明の実施の形態１に係るＰＯＮシステムの上り信号異常状態復旧後の状態を示す概要図である。
【図５】この発明の実施の形態１における常時発光監視制御部の動作を示すフローチャート例である。
【図６】この発明の実施の形態１に係るＰＯＮシステムの上り信号正常時でのリンク状態管理テーブルの状態例である。
【図７】この発明の実施の形態１に係るＰＯＮシステムの上り信号異常時でのリンク状態管理テーブルの状態例である。
【図８】この発明の実施の形態１に係るＰＯＮシステムのＯＮＵ電源断発生時でのリンク状態管理テーブルの状態例である。
【図９】この発明の実施の形態１に係るＰＯＮシステムの光ファイバ断時でのリンク状態管理テーブルの状態例である。
【図１０】この発明の実施の形態２に係るＰＯＮシステムの上り信号異常時での動作を示す概要図である。
【図１１】この発明の実施の形態２に係るＰＯＮシステムの構成を示す図である。
【図１２】この発明の実施の形態２に係るＰＯＮシステムの上り信号異常時でのリンク状態管理テーブルの状態例である。
【図１３】この発明の実施の形態２における常時発光監視制御部の動作を示すフローチャート例である。
【図１４】この発明の実施の形態３に係るＰＯＮシステムの構成を示す図である。
【図１５】この発明の実施の形態３に係るＰＯＮシステムの上り信号正常時での動作を示す概要図である。
【図１６】この発明の実施の形態３に係るＰＯＮシステムの上り信号異常時での動作を示す概要図である。
【図１７】この発明の実施の形態３における光バースト監視部の動作を示すフローチャート例である。
【図１８】この発明の実施の形態３における常時発光監視制御部の動作を示すフローチャート例である。
【発明を実施するための形態】
【００１３】
以下、この発明の実施の形態について図面を参照しながら詳細に説明する。
実施の形態１．
図１はこの発明の実施の形態１に係るＰＯＮシステムの構成を示す図である。
ＰＯＮシステムは、図１に示すように、局装置（ＯＬＴ）１および複数の加入者装置（ＯＮＵ）２から構成されている。このＯＬＴ１は、光ファイバ３および光スプリッタ４を介して各ＯＮＵ２と接続することが可能である。なお、図１では、ｎ台のＯＮＵ２（ＯＮＵ♯１〜♯ｎ）を示している。
【００１４】
ＯＬＴ１は、光送受信器（ＴＲＸ：Ｔｒａｎｓｃｅｉｖｅｒ）１１、ＰＯＮ制御部１２、ＯＮＵリンク状態監視部１３および常時発光監視制御部１４から構成されている。
【００１５】
光送受信器１１は、各ＯＮＵ２の後述する光送受信器２１との間で光信号の送受信を行うものである。
【００１６】
ＰＯＮ制御部１２は、各ＯＮＵ２との間でＰＯＮシステムに準拠したアクセス制御を行うものである。また、ＰＯＮ制御部１２は、常時発光監視制御部１４からの警報通知および光シャットダウン指示に応じて、該当するＯＮＵ２に対して当該指示を通知するよう光送受信器１１を制御する。
【００１７】
ＯＮＵリンク状態監視部１３は、各ＯＮＵ２のリンク状態を監視するものである。このＯＮＵリンク状態監視部１３では、各ＯＮＵ２のリンク状態として、各ＯＮＵ２の登録状態（登録／未登録）を監視する。
【００１８】
常時発光監視制御部１４は、ＯＮＵリンク状態監視部１３による監視結果に基づいて、常時発光状態（異常発光状態）を検出し、常時発光しているＯＮＵ２を特定する機能（常時発光監視部）を有するものである。そして、常時発光監視制御部１４は、ＰＯＮ制御部１２に対して警報通知および該当ＯＮＵ２への光シャットダウン通知を指示する機能（光シャットダウン指示部）も有している。
この常時発光監視制御部１４は、例えば図６に示すようなリンク状態管理テーブルを保持している。このリンク状態管理テーブルには、各ＯＮＵ２のＩＤ（ＯＮＵ  ＩＤ）と、リンク状態（登録（Ｒｅｇｉｓｔｅｒｅｄ）／未登録（ＤＲ：Ｄｅｒｅｇｉｓｔｅｒｅｄ））と、リンク状態が変化した時間（状態変化時間）と、状態フラグ（Ｎｏｒｍａｌ／Ｓｕｓｐｅｃｔ）と、常時発光状態判定と、常時発光の疑いのあるＯＮＵ２（被疑ＯＮＵ）とが関連付けられて記されている。
【００１９】
ＯＮＵ２は、光送受信器（ＴＲＸ：Ｔｒａｎｓｃｅｉｖｅｒ）２１、ＰＯＮ制御部２２および光出力制御部２３から構成されている。
【００２０】
光送受信器２１は、ＯＬＴ１の光送受信器１１との間で光信号の送受信を行うものである。
ＰＯＮ制御部２２は、ＯＬＴ１との間でＰＯＮシステムに準拠したアクセス制御を行うものである。
【００２１】
光出力制御部２３は、ＯＬＴ１からの指示を受け、光送受信器２１の光シャットダウン等の光出力制御を行うものである。
【００２２】
次に、上記のように構成されたＰＯＮシステムの動作概要について、図２〜４を参照しながら説明する。なお、図２〜４では、３台のＯＮＵ２（ＯＮＵ♯１〜♯３）を接続した場合について示している。
図２は各ＯＮＵ２の正常時での動作概要を示す図である。図２に示すように、下位端末（不図示）から各ＯＮＵ２に入力された上りフレーム（パケット）は、時分割制御されたタイミングでＯＬＴ１に送信される。この際、正常時では、ＯＬＴ１にて受信されるフレームは衝突せず時分割多重されて転送されるため、ＯＬＴ１では各ＯＮＵ２を正常に登録（Ｒｅｇｉｓｔｅｒｅｄ）した状態となる。
【００２３】
一方、図３は、ＯＮＵ＃１で障害が発生し、ＯＮＵ＃１の光出力が常時発光になった場合での動作概要を示す図である。図３に示すように、ＯＮＵ＃１が常時発光となると、ＯＬＴ１により受信される信号はフレーム１とフレーム２，３とが衝突した状態となり、フレーム２，３を正確に受信できない状態となる。このため、ＯＬＴ１では、ＯＮＵ＃１のみ登録した状態となり、ＯＮＵ＃２，♯３とは通信できず、未登録状態（Ｄｅｒｅｇｉｓｔｅｒｅｄ）となる。
【００２４】
一方、図４は常時発光のＯＮＵ♯１を検出した場合での動作概要を示す図である。図４に示すように、ＯＬＴ１は、常時発光状態を検出し、常時発光しているＯＮＵ♯１を特定した後、ＯＮＵ＃１に対して光出力シャットダウン指示を行う。これにより、フレーム２，３と衝突していたフレーム１がなくなり、ＯＬＴ１はフレーム２，３を受信できる状態に復旧し、ＯＮＵ♯２，♯３は再度登録状態（Ｒｅｇｉｓｔｅｒｅｄ）となる。
【００２５】
次に、ＯＬＴ１の常時発光監視制御部１４による具体的な動作（常時発光状態の検出、常時発光しているＯＮＵ２の特定、当該ＯＮＵ２に対する光出力シャットダウン指示）について、図５〜９を参照しながら説明する。
全ＯＮＵ２が正常な場合には、図６に示すように、常時発光監視制御部１４が保持するリンク状態管理テーブルは、全ＯＮＵ２が登録状態（Ｒｅｇｉｓｔｅｒｅｄ）となっている。なお、状態変化時間は、未発生であるか、ＯＮＵ２毎に別々の時間が保持された状態となっている。
【００２６】
一方、あるＯＮＵ２の光出力が常時発光となった場合、ＯＬＴ１では、ＯＮＵリンク状態監視部１３がＯＮＵ２が登録状態から未登録状態になったことを検出し、常時発光監視制御部１４に通知する（例えば、複数のＯＮＵ２のうちＯＮＵ♯１が常時発光した場合、まずＯＮＵ♯２が未登録状態になる）。
【００２７】
そして、常時発光監視制御部１４は、図５に示すように、任意のＯＮＵ２がＤＲ（未登録状態）になったことを検出すると（ステップＳＴ５０１‘ＹＥＳ’）、リンク状態管理テーブルの該当するリンク状態および状態変化時間を更新する（ステップＳＴ５０２）。例えば、ＯＮＵ♯２が未登録状態となった場合、図７（ａ）に示すように、ＯＮＵ♯２のリンク状態を“Ｒｅｇｉｓｔｅｒｅｄ”から“Ｄｅｒｅｇｉｓｔｅｒｅｄ”に変更し、その際の時間を状態変化時間に記録する。
【００２８】
次いで、常時発光監視制御部１４は、ステップＳＴ５０２で対象としたＯＮＵ２の状態変化時間に対して、状態変化時間がＮ秒以内であるＯＮＵ２のＯＮＵ  ＩＤを走査する（ステップＳＴ５０３）。なお、Ｎ秒は、常時発光になった場合に他の全てのＯＮＵ２が未登録状態に遷移するまでの時間を見越して設定する定数であり、システムに応じて設定値を決定する。
【００２９】
このステップＳＴ５０３において走査した結果、Ｎ秒以内に未登録状態に変化したＯＮＵ２がない場合には、処理を終了し、ステップＳＴ５０１のＤＲ検出待ちに遷移する（ステップＳＴ５０４‘ＮＯ’）。例えば、図７（ａ）はＯＮＵ＃１が常時発光し、まずＯＮＵ＃２だけが未登録状態に変化した場合を示しており、この場合にはステップＳＴ５０４においてＮ秒以内の未登録状態に変化したＯＮＵ２がないとみなし、処理を一旦終了することになる。ただし、常時発光状態では、例えば図７（ｂ）に示すように、すぐにＯＮＵ＃３が未登録状態に遷移し、ステップＳＴ５０１において処理が再度動作する。その後、ＯＮＵ＃３に対するステップＳＴ５０３において、Ｎ秒以内に未登録状態に変化したＯＮＵ＃２を検出し、シーケンスはステップＳＴ５０５に進むことになる（ステップＳＴ５０４‘ＹＥＳ’）。
【００３０】
次いで、Ｎ秒以内に未登録状態に変化したＯＮＵ２の状態フラグをＮｏｒｍａｌ状態に設定し、それ以外のＯＮＵ２をＳｕｓｐｅｃｔ状態に設定する（ステップＳＴ５０５）。例えば図７（ｂ）では、ＯＮＵ♯２，♯３の状態フラグはＮｏｒｍａｌ状態のままとし、それ以外のＯＮＵ♯１，♯４〜♯ｎの状態フラグはＳｕｓｐｅｃｔ状態にする。
【００３１】
次いで、リンク状態管理テーブルにおいて、状態フラグがＳｕｓｐｅｃｔ状態であるＯＮＵ２の台数を計数する（ステップＳＴ５０６）。
このステップＳＴ５０６において、状態フラグがＳｕｓｐｅｃｔ状態であるＯＮＵ２が０台または２台以上であった場合には、処理を終了してシーケンスはステップＳＴ５０１に戻る（ステップＳＴ５０７‘ＮＯ’）。例えば図７（ｂ）はＯＮＵ＃２に続きＯＮＵ＃３が未登録状態に変化した場合を示しており、この場合はＳｕｓｐｅｃｔ状態のＯＮＵ２が２台以上存在するため、処理が一旦終了することになる。ただし、常時発光状態では、その後、最終的にＯＮＵ＃ｎまで未登録状態に変化し、ステップＳＴ５０１〜ＳＴ５０７の処理が実行される。その結果、図７（ｃ）に示すようにＯＮＵ♯２〜＃ｎまでの状態フラグがＮｏｒｍａｌ状態となり、ステップＳＴ５０６においてＳｕｓｐｅｃｔ状態かつ登録状態のＯＮＵ２は１台と判定され、シーケンスはステップＳＴ５０８に進む（ステップＳＴ５０７‘ＹＥＳ’）。
【００３２】
次いで、ＰＯＮシステムの常時発光状態を認識し、Ｓｕｓｐｅｃｔ状態であるＯＮＵ２（図ではＯＮＵ＃１）が常時発光しているＯＮＵ２であると特定する（ステップＳＴ５０８）。
【００３３】
次いで、ＰＯＮ制御部１０２に対して、常時発光状態であることを警報通知し、常時発光しているＯＮＵ２への光シャットダウン指示の通知を指示する（ステップＳＴ５０９）。そして、警報通知を受けたＰＯＮ制御部１２は、この光シャットダウン指示をＰＯＮ区間を通じ該当するＯＮＵ２に伝達する。ＯＮＵ２ではＰＯＮ制御部２２にてＯＬＴ１からの光シャットダウン指示を認識して光出力制御部２３に通知し、光出力制御部２３にて光送受信器２１の光出力シャットダウンを制御する。なお、光出力シャットダウンは、光送受信器２１の駆動電源をカットする場合や、ＬＤ電流をカットする場合等がある。
【００３４】
ここで、例えば図８に示すように、１台のＯＮＵ２（ＯＮＵ♯１）だけが電源断となり未登録状態となった場合には、Ｎ秒以内に他のＯＮＵ２（ＯＮＵ♯２〜♯ｎ）が未登録状態に遷移する確率は低い。そのため、常時発光監視制御部１４が、常時発光状態であると誤検出することはない。
また、例えば図９に示すように、光ファイバ断等により、ＯＬＴ１に接続される全てのＯＮＵ２が未登録状態となった場合には、Ｓｕｓｐｅｃｔ状態になるＯＮＵ２が０台となる。そのため、常時発光監視制御部１４が、常時発光状態であると誤検出することはない。
【００３５】
なお、本方式は複数ＯＮＵ２の登録状態を基に常時発光を監視するため、ＯＬＴ１に接続されているＯＮＵ２の台数が３台以上である場合に有効である。
【００３６】
以上のように、この実施の形態１によれば、ＯＬＴ１にて、Ｎ秒以内に１台のＯＮＵ２以外の全てのＯＮＵ２が未登録状態となった場合に、常時発光状態を検出し、当該１台のＯＮＵ２を常時発光しているＯＮＵ２であると特定し、特定したＯＮＵ２に対して、光シャットダウンを指示するように構成したので、ＯＬＴ１およびＯＮＵ２に特別な検出回路を用いずに常時発光しているＯＮＵ２を特定可能となり、コストアップせずに廉価に構成することができる。また、他社ＯＮＵとの相互接続時にも有効である。また、常時発光を自動で検出、特定、復旧することが可能であるため、システムのアウテージ（通信断時間）を短縮することができる。
【００３７】
実施の形態２．
実施の形態１では、あるＯＮＵ２が常時発光した場合に、他のＯＮＵ２が未登録状態に遷移することを前提として説明を行った。それに対して、例えば図１０に示すように、常時発光しているＯＮＵ＃１からの光出力レベルが低い場合等では、他のＯＮＵ♯２，♯３のフレーム２，３にフレーム１が干渉するものの、完全に通信できない状態までには陥らず、フレームロス等の信号劣化状態になる場合も考えられる。そこで、実施の形態２では、上記のような場合に対応したＰＯＮシステムについて示す。
【００３８】
図１１はこの発明の実施の形態２に係るＰＯＮシステムの構成を示す図である。図１１に示す実施の形態２に係るＰＯＮシステムは、図１に示す実施の形態１に係るＰＯＮシステムのＯＮＵリンク状態監視部１３および常時発光監視制御部１４をＯＮＵリンク状態監視部１３ｂおよび常時発光監視制御部１４ｂに変更したものである。その他の構成は同様であり、同一の符号を付してその説明を省略する。
【００３９】
ＯＮＵリンク状態監視部１３ｂは、図１に示す実施の形態１におけるＯＮＵリンク状態監視部１３の機能に加えて、各ＯＮＵ２のリンク状態として、各ＯＮＵ２の伝送品質状態を監視する機能も有するものである。
【００４０】
常時発光監視制御部１４ｂは、ＯＮＵリンク状態監視部１３ｂによる監視結果に基づいて常時発光状態（異常発光状態）を検出し、常時発光しているＯＮＵ２を特定する機能（常時発光監視部）を有するものである。そして、常時発光監視制御部１４ｂは、ＰＯＮ制御部１２に対して警報通知および該当ＯＮＵ２への光シャットダウン通知を指示する機能（光シャットダウン指示部）も有している。
この常時発光監視制御部１４は、例えば図１２に示すようなリンク状態管理テーブルを保持している。この図１２に示すリンク状態管理テーブルでは、図６に示すリンク状態管理テーブルと異なり、リンク状態として、登録状態（Ｒｅｇｉｓｔｅｒｅｄ／Ｄｅｒｅｇｉｓｔｅｒｅｄ）だけでなく、伝送品質状態（品質劣化状態（ＳＤ：Ｓｉｇｎａｌ  Ｄｅｇｒａｄｅ））も管理している。また、状態変化時間には、登録状態が変化した時間だけでなく、伝送品質状態が変化した時間も記録する。
【００４１】
この実施の形態２に係る常時発光監視制御部１４ｂの具体的な動作は図１３に示す通りである。すなわち、図１３に示すフローチャートでは、図５に示すフローチャートのステップＳＴ５０１，ＳＴ５０３，ＳＴ５０５において、未登録状態（ＤＲ）に加えて品質劣化状態（ＳＤ）も考慮するようにしている（ステップＳＴ１３０１，１３０３，１３０５）。その他は同様であり、その説明を省略する。
【００４２】
以上のように、この実施の形態２によれば、ＯＮＵ２のリンク状態として、登録状態だけでなく、伝送品質状態（品質劣化状態）も監視するように構成したので、実施の形態１と比較して、常時発光から救済できる状況を拡大することが可能となる。
【００４３】
実施の形態３．
図１４はこの発明の実施の形態３に係るＰＯＮシステムの構成を示す図である。図１４に示す実施の形態３に係るＰＯＮシステムの構成は、図１１に示す実施の形態２に係るＰＯＮシステムの光送受信器１１および常時発光監視制御部１４ｂを光送受信器１１ｂおよび常時発光監視制御部１４ｃに変更し、光バースト監視部１５を追加したものである。その他の構成は同様であり、同一の符号を付してその説明を省略する。
【００４４】
光送受信器１１ｂは、図１に示す実施の形態１における光送受信器１１の機能に加えて、ＯＮＵ２からの受信光の検出状態を通知する機能を有するものである。
光バースト監視部１５は、光送受信器１１ｂからの受信光検出状態に基づいて、受信光がバースト状態であるか、すなわち常時発光状態であるかを監視するものである。
【００４５】
常時発光監視制御部１４ｃは、光バースト監視部１５による監視結果およびＯＮＵリンク状態監視部１３ｂによる監視結果に基づいて、常時発光状態（異常発光状態）を検出し、常時発光しているＯＮＵ２を特定する機能（常時発光監視部）を有するものである。そして、常時発光監視制御部１４ｂは、ＰＯＮ制御部１２に対して警報通知および該当ＯＮＵ２への光シャットダウン通知を指示する機能（光シャットダウン指示部）も有している。
【００４６】
次に、上記のように構成されたＰＯＮシステムの動作概要について、図１５，１６を参照しながら説明する。なお、図１５，１６は、図２，３に通信フレームのガードタイム（ＧＴ）を加えたものである。
図１５において、下位端末から各ＯＮＵ２に入力された上りフレーム（パケット）は、時分割制御されたタイミングでＯＬＴ１に送信される。ここで、本信号は光バースト信号であり、フレーム間にはガードタイム（ＧＴ）と呼ばれる全ＯＮＵ２が無発光状態となる区間が設けられている。そして、図１５に示す正常時では、ＯＬＴ１の光送受信器１１ｂにて、ＧＴ毎に受信光がＬＯＳ状態になることを検出する。
【００４７】
一方、図１６に示す常時発光では、例えばＯＮＵ＃１が常時発光することで、本来ＧＴの区間であってもＯＮＵ＃１が発光したままとなる。そのため、ＯＬＴ１の光送受信器１１ｂでは、無発光状態を検出できず受信光が継続されている状態となる。よって、この光バースト状態を検出することで常時発光状態を検出することができる。
【００４８】
次に、ＯＬＴ１による具体的な動作について、図１７，１８を参照しながら説明する。
図１７は光バースト監視部１５による監視動作を示すフローチャート例であり、図１８は常時発光監視制御部１４ｃによる監視動作を示すフローチャート例である。
【００４９】
ＯＮＵ２からの上り信号を受信した光送受信器１１ｂは、受信光の検出状態を光バースト監視部１５に通知する。例えば、発光状態を検出した場合には“１”レベルとして、無発光状態を検出した場合には“０”レベルとして通知する。そして、光バースト監視部１５は、図１７のフローチャート例に基づいて動作する。すなわち、まず、初期動作時に、受信光検出の継続時間（回数）をカウントする変数Ｘを初期化する（ステップＳＴ１７０１）。
【００５０】
次いで、所定のサンプリング周期で、光送受信器１１からの受信光検出状態通知をモニタする（ステップＳＴ１７０２）。
次いで、受信光検出状態通知が発光状態を示している場合にはシーケンスはステップＳＴ１７０４に遷移し、無発光状態を示している場合にはシーケンスはステップＳＴ１７０１に遷移する（ステップＳＴ１７０３）。
【００５１】
次いで、受信光検出状態通知が発光状態を示している場合には、その受信光検出継続時間（Ｘ）をカウントアップする（ステップＳＴ１７０４）。
次いで、受信光検出継続時間（Ｘ）が予め決められた数値Ｍ以下の場合にはシーケンスはステップＳＴ１７０２に遷移し、数値Ｍを超える場合にはシーケンスはステップＳＴ１７０６に遷移する（ステップＳＴ１７０５）。なお、数値Ｍは、上りフレームの最大フレーム長を考慮して決定する。当然、ＰＯＮ区間で付与されるプリアンブル、Ｌａｓｅｒ−ＯＮ／ＯＦＦ  Ｔｉｍｅ等も考慮する。
【００５２】
ここで、図１５に示す正常時では、ステップＳＴ１７０２〜ＳＴ１７０５を転送フレーム長分だけ繰り返し、フレーム転送終了後、無発光状態となる。すなわち、ステップＳＴ１７０５における数値Ｍは最大フレーム長を元に決定されるため、正常時ではステップＳＴ１７０５の判定では必ずステップＳＴ１７０２に遷移し、ステップＳＴ１７０３にてフレーム転送終了後にステップＳＴ１７０１に遷移する。
一方、図１６に示すような常時発光の場合、ステップＳＴ１７０５にて数値Ｍを超える状態となり、ステップＳＴ１７０６へ遷移する。そして、ステップＳＴ１７０６にて常時発光状態の検出を常時発光監視制御部１４ｃに通知する。
【００５３】
そして、常時発光監視制御部１４ｃは、図１８のフローチャート例に基づいて動作する。すなわち、まず、光バースト監視部１５からの常時発光状態検出通知を検出すると（ステップＳＴ１８０１‘ＹＥＳ’）、ＯＮＵ２のリンク状態（登録状態）のモニタ時間の計数を開始する（ステップＳＴ１８０２）。この計数Ｙは、光バースト監視部１５にて常時発光状態を検出した時点から常時発光のＯＮＵ２以外のＯＮＵ２が未登録状態になるまでの遅延時間（ステップＳＴ１８０９の数値Ｍ）を見越して設定する。
【００５４】
次いで、ＯＮＵリンク状態監視部１３による監視結果に基づいて、リンク状態管理テーブルを更新する（ステップＳＴ１８０３）。すなわち、図１３に示すステップＳＴ１３０２と同様の処理を行う。
【００５５】
次いで、更新したリンク状態管理テーブルにおいて、状態フラグが未登録状態または品質劣化状態になったＯＮＵ２をＮｏｒｍａｌ状態に設定し、それ以外をＳｕｓｐｅｃｔ状態に設定する（ステップＳＴ１８０４）。
【００５６】
次いで、状態フラグがＳｕｓｐｅｃｔ状態であり、かつリンク状態が登録状態であるＯＮＵ２の台数を確認する（ステップＳＴ１８０５）。
次いで、ステップＳＴ１８０５においてカウントした台数が１台の場合にはシーケンスはステップＳＴ１８０７に遷移し、０台または２台以上の場合にはシーケンスはステップＳＴ１８０９へ遷移する（ステップＳＴ１８０６）。
【００５７】
ここで、光バースト監視部１５で常時発光状態を検出しても、まだＯＮＵ２が登録状態の場合には、Ｓｕｓｐｅｃｔ状態かつ登録状態のＯＮＵ２が複数台存在することになるため、ステップＳＴ１８０９へ遷移する。そして、１台しかカウントされていない状態になった時点でシーケンスはステップＳＴ１８０７へ遷移し、常時発光しているＯＮＵ２を特定する。その後、ステップＳＴ１８０８にて、常時発光状態であることを警報通知し、該当ＯＮＵ２への光シャットダウン指示の通知を指示する。なお、その後のＯＮＵ２への光シャットダウン指示方法や、ＯＮＵ２の動作は実施の形態１と同じであり、その説明を省略する。
【００５８】
一方、ステップＳＴ１８０６からステップＳＴ１８０９に遷移した場合において、ステップＳＴ１８０３においてカウントした計数Ｙが設定した最大遅延時間Ｍ秒未満の場合には、まだＯＮＵ２のリンク状態が変化する可能性があるため、ステップＳＴ１８０３に遷移しリンク状態管理テーブルの更新に戻る。
一方、ステップＳＴ１８０９において、計数Ｙが最大遅延時間Ｍ秒に達した場合、常時発光状態ではあるものの、被疑ＯＮＵが特定できない状態であると認識する（ステップＳＴ１８１０）。すなわち、被疑ＯＮＵが常時発光状態でありながらＰＯＮ制御部２２も故障し登録状態を維持できない場合、もしくはＯＮＵ２以外の光送信器が故意に接続された場合が考えられる。このような場合は、復旧不可能であるため、ステップＳＴ１８１１において警報（Ｆａｔａｌ）状態であることを示す警報をオペレータに通知する。
【００５９】
以上のように、この実施の形態３によれば、ＯＮＵ２からの受信光の検出状態に基づいて光バースト状態を監視し、所定時間以上光バースト状態が継続した場合に、常時発光状態を検出するように構成したので、ＯＬＴ１へのＯＮＵ２の登録台数が２台以下でも常時発光を検出することができる。よって、実施の形態１，２と比較して、常時発光から救済できる状況を拡大することが可能となる。
【００６０】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００６１】
この発明に係るＰＯＮシステムは、ＯＬＴおよびＯＮＵに特別な検出回路（機能）を用いず、常時発光しているＯＮＵを特定する方式としたので、コストアップせず廉価な構成にすることができ、ＯＬＴにてＯＮＵの異常を検出するＰＯＮシステム等に用いるのに適している。
【符号の説明】
【００６２】
１  局装置（ＯＬＴ）、２  加入者装置（ＯＮＵ）、３  光ファイバ、４  光スプリッタ、１１，１１ｂ  光送受信器、１２  ＰＯＮ制御部、１３，１３ｂ  ＯＮＵリンク状態監視部、１４，１４ｂ，１４ｃ  常時発光監視制御部（常時発光監視部、光シャットダウン指示部）、１５  光バースト監視部、２１  光送受信器、２２  ＰＯＮ制御部、２３  光出力制御部。
【図１】
2013140454.tif 000003
【図２】
2013140454.tif 000004
【図３】
2013140454.tif 000005
【図４】
2013140454.tif 000006
【図５】
2013140454.tif 000007
【図６】
2013140454.tif 000008
【図７】
2013140454.tif 000009
【図８】
2013140454.tif 000010
【図９】
2013140454.tif 000011
【図１０】
2013140454.tif 000012
【図１１】
2013140454.tif 000013
【図１２】
2013140454.tif 000014
【図１３】
2013140454.tif 000015
【図１４】
2013140454.tif 000016
【図１５】
2013140454.tif 000017
【図１６】
2013140454.tif 000018
【図１７】
2013140454.tif 000019
【図１８】
2013140454.tif 000020
【手続補正書】
【提出日】平成26年7月3日(2014.7.3)
【手続補正１】
【補正対象書類名】明細書
【補正対象項目名】００１０
【補正方法】変更
【補正の内容】
【００１０】
この発明に係るＰＯＮシステムは、ＯＬＴと、ＯＬＴに接続された複数のＯＮＵとを備え、ＯＬＴは、各ＯＮＵの登録状態及び伝送品質状態を監視するＯＮＵリンク状態監視部と、ＯＮＵリンク状態監視部による監視結果に基づいて、常時発光状態を検出し、常時発光しているＯＮＵを特定する常時発光監視部と、常時発光監視部により特定されたＯＮＵに対して、光シャットダウンを指示する光シャットダウン指示部とを備え、ＯＮＵは、ＯＬＴとの間で光信号の送受信を行う光送受信器と、光シャットダウン指示部からの指示に応じ、光送受信器の光シャットダウンを行う光出力制御部とを備えたものである。
【手続補正２】
【補正対象書類名】特許請求の範囲
【補正対象項目名】全文
【補正方法】変更
【補正の内容】
【特許請求の範囲】
【請求項１】
ＯＬＴと、前記ＯＬＴに接続された複数のＯＮＵとを備えたＰＯＮシステムにおいて、
前記ＯＬＴは、
前記各ＯＮＵの登録状態及び伝送品質状態を監視するＯＮＵリンク状態監視部と、
前記ＯＮＵリンク状態監視部による監視結果に基づいて、常時発光状態を検出し、常時発光しているＯＮＵを特定する常時発光監視部と、
前記常時発光監視部により特定されたＯＮＵに対して、光シャットダウンを指示する光シャットダウン指示部とを備え、
前記ＯＮＵは、
前記ＯＬＴとの間で光信号の送受信を行う光送受信器と、
前記光シャットダウン指示部からの指示に応じ、前記光送受信器の光シャットダウンを行う光出力制御部とを備えた
ことを特徴とするＰＯＮシステム。
【請求項２】
前記常時発光監視部は、所定時間内に１台のＯＮＵ以外の全てのＯＮＵが未登録状態または信号劣化状態となった場合に、常時発光状態を検出し、当該１台のＯＮＵを常時発光しているＯＮＵであると特定する
ことを特徴とする請求項１記載のＰＯＮシステム。
【請求項３】
前記ＯＬＴは、
前記ＯＮＵからの受信光の検出状態に基づいて光バースト状態を監視する光バースト監視部を備え、
前記常時発光監視部は、前記光バースト監視部による監視結果および前記ＯＮＵリンク状態監視部による監視結果に基づいて、常時発光状態を検出し、常時発光しているＯＮＵを特定する
ことを特徴とする請求項１記載のＰＯＮシステム。
【請求項４】
前記常時発光監視部は、所定時間以上光バースト状態が継続した場合に、常時発光状態を検出する
ことを特徴とする請求項３記載のＰＯＮシステム。
【請求項５】
複数のＯＮＵが接続されたＯＬＴにおいて、
前記各ＯＮＵの登録状態及び伝送品質状態を監視するＯＮＵリンク状態監視部と、
前記ＯＮＵリンク状態監視部による監視結果に基づいて、常時発光状態を検出し、常時発光しているＯＮＵを特定する常時発光監視部と、
前記常時発光監視部により特定された常時発光のＯＮＵに対して、光シャットダウンを指示する光シャットダウン指示部と
を備えたことを特徴とするＯＬＴ。
【請求項６】
ＯＬＴに接続されたＯＮＵにおいて、
前記ＯＬＴとの間で光信号の送受信を行う光送受信器と、
前記ＯＬＴからの自機の登録状態及び伝送品質状態に基づく常時発光の検出・特定による指示に応じ、前記光送受信器の光シャットダウンを行う光出力制御部と
を備えたことを特徴とするＯＮＵ。
【国際調査報告】
2013140454.tif 000021
2013140454.tif 000022